(57)【要約】【課題】移動局からの発呼を成功しやすくした無線基地局システム、チャネル割当て方法、およびチャネル割当てプログラムを提供する。【解決手段】スレーブ基地局のフレーム同期部１１ｂは、マスター基地局のフレームと自局のフレームとの同期をとり、受信用制御スロット設定制御部１２ｂは、マスター基地局のフレーム内の受信用制御スロットと同一タイミングの自局のフレーム内の所定の受信用スロットを受信用制御スロットに設定する。すべての基地局の受信レベル取得部１３ａ，ｂは、受信用制御スロットでリンクチャネル確立要求メッセージを受信したときに、当該スロットの受信レベルを取得し、通話チャネル割当制御２０ａ，ｂは、通話チャネル割当指示に応じて、フレーム内の所定の送信用および受信用スロットにリンクチャネル確立要求メッセージを送信した移動局との間の通話チャネルを割当てる。【選択図】        図１
2004297505.tif 000002
【特許請求の範囲】
【請求項１】
１台のマスター基地局と、複数台のスレーブ基地局と、マスター基地局およびスレーブ基地局を制御する制御装置からなる無線基地局システムであって、
スレーブ基地局は、
マスター基地局のフレームと自局のフレームとの同期をとるフレーム同期手段と、
マスター基地局のフレーム内の受信用制御スロットと同一タイミングの自局のフレーム内の所定の受信用スロットを受信用制御スロットに設定するスロット設定手段とを備え、
すべての基地局は、
前記設定された受信用制御スロットで、リンクチャネル確立要求メッセージを受信したときに、当該スロットの受信レベルを取得する受信レベル取得手段と、
通話チャネル割当指示に応じて、フレーム内の所定の送信用および受信用スロットに、リンクチャネル確立要求メッセージを送信した移動局との間の通話チャネルを割当てる通話チャネル割当手段とを備え、
制御装置は、
各基地局から受信レベルを受けて、当該受信レベルが最大の基地局を特定し、特定した基地局に対して、通話チャネル割当指示を送る割当指示手段を備える、無線基地局システム。
【請求項２】
前記スレーブ基地局の通話チャネル割当手段は、前記所定の受信用スロット以外で、所定の条件を満たす受信用スロットがあるときには、前記所定の条件を満たす受信用スロットに通話チャネルを割当て、所定の条件を満たす受信用スロットがないときに、前記所定の受信用スロットに通話チャネルを割当てる、請求項１記載の無線基地局システム。
【請求項３】
前記スレーブ基地局は、さらに、
前記所定の受信用スロットに通話チャネルを割当てた後、前記所定の受信用スロット以外の受信用スロットのうち、所定の条件を満たす受信用スロットが生じたときには、前記通話チャネルが割当てられるスロットを前記所定の条件を満たす受信用スロットに切替える通話チャネル切替手段を含む、請求項２記載の無線基地局システム。
【請求項４】
１台のマスター基地局と、複数台のスレーブ基地局と、マスター基地局およびスレーブ基地局を制御する制御装置からなる無線基地局システムにおけるチャネル割当方法であって、
スレーブ基地局が、マスター基地局のフレームと自局のフレームとの同期をとるステップと、
スレーブ基地局が、マスター基地局のフレーム内の受信用制御スロットと同一タイミングの自局のフレーム内の所定の受信用スロットを受信用制御スロットに設定するステップと、
すべての基地局が、前記設定された受信用制御スロットで、リンクチャネル確立要求メッセージを受信したときに、当該スロットの受信レベルを取得するステップと、
制御装置が、各基地局から受信レベルを受けて、当該受信レベルが最大の基地局を特定し、特定した基地局に対して通話チャネル割当指示を送るステップと、
通話チャネル割当指示を受けた基地局が、フレーム内の所定の送信用および受信用スロットに、リンクチャネル確立要求メッセージを送信した移動局との間の通話チャネルを割当てるステップとを含む、チャネル割当方法。
【請求項５】
前記スレーブ基地局の通話チャネルを割当てるステップは、前記所定の受信用スロット以外で、所定の条件を満たす受信用スロットがあるときには、前記所定の条件を満たす受信用スロットに通話チャネルを割当て、所定の条件を満たす受信用スロットがないときに、前記所定の受信用スロットに通話チャネルを割当てる、請求項４記載のチャネル割当方法。
【請求項６】
前記チャネル割当方法は、さらに、
前記スレーブ基地局が、前記所定の受信用スロットに通話チャネルを割当てた後、前記所定の受信用スロット以外の受信用スロットのうち、所定の条件を満たす受信用スロットが生じたときには、前記通話チャネルが割当てられるスロットを前記所定の条件を満たす受信用スロットに切替えるステップを含む、請求項５記載のチャネル割当方法。
【請求項７】
１台のマスター基地局と、複数台のスレーブ基地局と、マスター基地局およびスレーブ基地局を制御する制御装置からなる無線基地局システムにおけるチャネル割当プログラムであって、コンピュータに、
スレーブ基地局が、マスター基地局のフレームと自局のフレームとの同期をとるステップと、
スレーブ基地局が、マスター基地局のフレーム内の受信用制御スロットと同一タイミングの自局のフレーム内の所定の受信用スロットを受信用制御スロットに設定するステップと、
すべての基地局が、前記設定された受信用制御スロットで、リンクチャネル確立要求メッセージを受信したときに、当該スロットの受信レベルを取得するステップと、
制御装置が、各基地局から受信レベルを受けて、当該受信レベルが最大の基地局を特定し、特定した基地局に対して通話チャネル割当指示を送るステップと、
通話チャネル割当指示を受けた基地局が、フレーム内の所定の送信用および受信用スロットに、リンクチャネル確立要求メッセージを送信した移動局との間の通話チャネルを割当てるステップとを実行させる、チャネル割当プログラム。
【請求項８】
前記スレーブ基地局の通話チャネルを割当てるステップは、前記所定の受信用スロット以外で、所定の条件を満たす受信用スロットがあるときには、前記所定の条件を満たす受信用スロットに通話チャネルを割当て、所定の条件を満たす受信用スロットがないときに、前記所定の受信用スロットに通話チャネルを割当てる、請求項７記載のチャネル割当プログラム。
【請求項９】
前記チャネル割当プログラムは、さらに、コンピュータに、
前記スレーブ基地局が、前記所定の受信用スロットに通話チャネルを割当てた後、前記所定の受信用スロット以外の受信用スロットのうち、所定の条件を満たす受信用スロットが生じたときには、前記通話チャネルが割当てられるスロットを前記所定の条件を満たす受信用スロットに切替えるステップを実行させる、請求項８記載のチャネル割当プログラム。
【発明の詳細な説明】
【０００１】
【発明の属する技術分野】
この発明は、無線基地局システム、無線基地局システムのチャネル割当方法、および無線基地局システムのチャネル割当プログラムに関し、特に、１台のマスター基地局と、当該マスター基地局とケーブルで接続された複数台のスレーブ基地局からなる無線基地局システム、当該無線基地局システムのチャネル割当方法、および無線基地局システムのチャネル割当プログラムに関する。
【０００２】
【従来の技術】
ＰＨＳなどの無線基地局では、ＴＤＭＡ／ＴＤＤ方式で通信を行っている。このＴＤＭＡ／ＴＤＤ方式では、１フレームは、上りと下りの４対のスロットで構成される。通常、この４対のスロットのうち、１対のスロットには、制御チャネルが割当てられ、３対のスロットには、通話チャネルが割当てられる。制御チャネルをＣ、通話チャネルをＴで表すと、無線基地局の通常のフレームの構成は、１Ｃ３Ｔのフレーム構成である。
【０００３】
ところで、特許文献１には、マスター基地局と、スレーブ基地局からなる無線基地局システムが開示されている。マスター基地局のフレームの構成は、通常のフレーム構成であり、１Ｃ３Ｔである。マスター基地局の制御チャネルは、マスター基地局とスレーブ基地局に共通に用いられる。それゆえ、スレーブ基地局では、４対のスロットのすべてに通話チャネルが割当てられる。つまり、スレーブ基地局の通常のフレームの構成は、４Ｔのフレーム構成である。したがって、この無線局システム全体のフレームの構成は、１Ｃ７Ｔである。
【０００４】
このようなマスター基地局とスレーブ基地局からなる無線基地局システムでは、スレーブ基地局のフレームには、制御チャネルを割当てなくてもよいので、割当てることのできる通話チャネルの数を増やすことができる。
【０００５】
【特許文献１】
特許第３２３４５７４号公報
【０００６】
【発明が解決しようとする課題】
ところで、この無線基地局システムに対して、移動局が発呼を行なう場合には、マスター基地局は、移動局からのリンクチャネル確立要求メッセージを受信して、マスター基地局またはスレーブ基地局のフレームに通話チャネルを割当てる。
【０００７】
マスター基地局のフレームに通話チャネルが割当てられるときには、リンクチャネル確立要求を受け取った基地局と、通話チャネルが割当てられた基地局とは、同一なので、問題ない。
【０００８】
しかしながら、スレーブ基地局のフレームに通話チャネルが割当てるときには、リンクチャネル確立要求を受け取った基地局と、通話チャネルが割当てられた基地局とは、相違する。この場合には、以下の問題がある。
【０００９】
マスター基地局の電波の状況が、移動局との通信に適した電波の状況にあって、マスター基地局では、リンクチャネル確立要求を受けることができたとしても、スレーブ基地局の電波の状況が、その移動局との間の通信に適した電波の状況でなく、移動局とスレーブ基地局との間で、適切にメッセージの交換などが行なわれない場合がある。そのような場合には、移動局からの発呼が失敗することになる。
【００１０】
それゆえに、この発明の目的は、マスター基地局と、複数のスレーブ基地局からなる無線基地局システムにおいて、移動局からの発呼を成功しやすくした無線基地局システム、当該無線基地局システムのチャネル割当方法、および当該無線基地局システムのチャネル割当プログラムを提供することである。
【００１１】
【課題を解決するための手段】
上記課題を解決するために、本発明に係わる無線基地局システムは、１台のマスター基地局と、複数台のスレーブ基地局と、マスター基地局およびスレーブ基地局を制御する制御装置からなる無線基地局システムであって、スレーブ基地局は、マスター基地局のフレームと自局のフレームとの同期をとるフレーム同期手段と、マスター基地局のフレーム内の受信用制御スロットと同一タイミングの自局のフレーム内の所定の受信用スロットを受信用制御スロットに設定するスロット設定手段とを備え、すべての基地局は、設定された受信用制御スロットで、リンクチャネル確立要求メッセージを受信したときに、当該スロットの受信レベルを取得する受信レベル取得手段と、通話チャネル割当指示に応じて、フレーム内の所定の送信用および受信用スロットに、リンクチャネル確立要求メッセージを送信した移動局との間の通話チャネルを割当てる通話チャネル割当手段とを備え、制御装置は、各基地局から受信レベルを受けて、当該受信レベルが最大の基地局を特定し、特定した基地局に対して通話チャネル割当指示を送る割当指示手段を備える。
【００１２】
好ましくは、スレーブ基地局の通話チャネル割当手段は、所定の受信用スロット以外で、所定の条件を満たす受信用スロットがあるときには、所定の条件を満たす受信用スロットに通話チャネルを割当て、所定の条件を満たす受信用スロットがないときに、所定の受信用スロットに通話チャネルを割当てる。
【００１３】
好ましくは、スレーブ基地局は、さらに、所定の受信用スロットに通話チャネルを割当てた後、所定の受信用スロット以外の受信用スロットのうち、所定の条件を満たす受信用スロットが生じたときには、通話チャネルが割当てられるスロットを所定の条件を満たす受信用スロットに切替える通話チャネル切替手段を含む。
【００１４】
本発明に係わるチャネル割当方法は、１台のマスター基地局と、複数台のスレーブ基地局と、マスター基地局およびスレーブ基地局を制御する制御装置からなる無線基地局システムにおけるチャネル割当方法であって、スレーブ基地局が、マスター基地局のフレームと自局のフレームとの同期をとるステップと、スレーブ基地局が、マスター基地局のフレーム内の受信用制御スロットと同一タイミングの自局のフレーム内の所定の受信用スロットを受信用制御スロットに設定するステップと、すべての基地局が、設定された受信用制御スロットで、リンクチャネル確立要求メッセージを受信したときに、当該スロットの受信レベルを取得するステップと、制御装置が、各基地局から受信レベルを受けて、当該受信レベルが最大の基地局を特定し、特定した基地局に対して通話チャネル割当指示を送るステップと、通話チャネル割当指示を受けた基地局が、フレーム内の所定の送信用および受信用スロットに、リンクチャネル確立要求メッセージを送信した移動局との間の通話チャネルを割当てるステップとを含む。
【００１５】
好ましくは、スレーブ基地局の通話チャネルを割当てるステップは、所定の受信用スロット以外で、所定の条件を満たす受信用スロットがあるときには、所定の条件を満たす受信用スロットに通話チャネルを割当て、所定の条件を満たす受信用スロットがないときに、所定の受信用スロットに通話チャネルを割当てる。
【００１６】
好ましくは、チャネル割当方法は、さらに、スレーブ基地局が、所定の受信用スロットに通話チャネルを割当てた後、所定の受信用スロット以外の受信用スロットのうち、所定の条件を満たす受信用スロットが生じたときには、通話チャネルが割当てられるスロットを所定の条件を満たす受信用スロットに切替えるステップを含む。
【００１７】
本発明に係わるチャネル割当プログラムは、１台のマスター基地局と、複数台のスレーブ基地局と、マスター基地局およびスレーブ基地局を制御する制御装置からなる無線基地局システムにおけるチャネル割当プログラムであって、コンピュータに、スレーブ基地局が、マスター基地局のフレームと自局のフレームとの同期をとるステップと、スレーブ基地局が、マスター基地局のフレーム内の受信用制御スロットと同一タイミングの自局のフレーム内の所定の受信用スロットを受信用制御スロットに設定するステップと、すべての基地局が、設定された受信用制御スロットで、リンクチャネル確立要求メッセージを受信したときに、当該スロットの受信レベルを取得するステップと、制御装置が、各基地局から受信レベルを受けて、当該受信レベルが最大の基地局を特定し、特定した基地局に対して通話チャネル割当指示を送るステップと、通話チャネル割当指示を受けた基地局が、フレーム内の所定の送信用および受信用スロットに、リンクチャネル確立要求メッセージを送信した移動局との間の通話チャネルを割当てるステップとを実行させる。
【００１８】
好ましくは、スレーブ基地局の通話チャネルを割当てるステップは、所定の受信用スロット以外で、所定の条件を満たす受信用スロットがあるときには、所定の条件を満たす受信用スロットに通話チャネルを割当て、所定の条件を満たす受信用スロットがないときに、所定の受信用スロットに通話チャネルを割当てる。
【００１９】
好ましくは、チャネル割当プログラムは、さらに、コンピュータに、スレーブ基地局が、所定の受信用スロットに通話チャネルを割当てた後、所定の受信用スロット以外の受信用スロットのうち、所定の条件を満たす受信用スロットが生じたときには、通話チャネルが割当てられるスロットを所定の条件を満たす受信用スロットに切替えるステップを実行させる。
【００２０】
したがって、本発明の無線基地局システム、チャネル割当方法、およびチャネル割当プログラムでは、移動局からの発呼を成功しやすくすることができる。
【００２１】
【発明の実施の形態】
以下、この発明の実施の形態を図面を参照して詳しく説明する。本実施の形態で使用する用語、および処理手順は、基本的に、「第２世代コードレス電話システム標準規格」ＲＣＲ  ＳＴＤ−２８に基づく。
【００２２】
図１は、この発明の実施の形態に係わる無線基地局システムの構成を示す機能ブロック図である。図１を参照して、この無線基地局システムは、マスター基地局１ａと、スレーブ基地局１ｂと、制御装置３０とを備える。マスター基地局１ａと制御装置３０との間、およびスレーブ基地局１ｂと制御装置３０との間は、ケーブルで接続されている。
【００２３】
マスター基地局１ａは、無線部２ａと、信号処理部３ａと、モデム部４ａと、マスター制御部５ａとを備える。スレーブ基地局１ｂは、無線部２ｂと、信号処理部３ｂと、モデム部４ｂと、スレーブ制御部５ｂとを備える。
【００２４】
無線部２ａは、受信部８ａと、送信部９ａと、ＲＳＳＩ検出部１０ａとを備える。
【００２５】
受信部８ａは、選択ダイバーシチ受信によって選択したアンテナから受信した高周波信号（ＲＦ信号）をダウンコンバートして、中間周波数の信号（ＩＦ信号）にするととともに、所定の電圧レベルに増幅する。
【００２６】
送信部９ａは、中間周波数の信号（ＩＦ信号）をアップコンバートして、高周波信号（ＲＦ信号）にするとともに、所定の電圧レベルに増幅して、選択ダイバーシチ送信によって選択したアンテナへ出力する。
【００２７】
ＲＳＳＩ（Ｒｅｃｅｉｖｅｄ  Ｓｉｇｎａｌ  Ｓｔｒｅｎｇｔｈ  Ｉｎｄｉｃａｔｏｒ）検出部１０ａは、受信したＲＦ信号の受信レベルを検出し、マスター制御部５ａに出力する。
【００２８】
モデム部４ａは、変調部７ａと復調部６ａとを備える。変調部７ａは、送信信号に対して、π／４シフトＱＰＳＫ方式の変調処理を施し、変調された信号を信号処理部６に出力する。復調部６ａは、信号処理部６で処理された受信信号に対して、π／４シフトＱＰＳＫ方式の復調処理を施し、復調された情報をマスター制御部５ａに出力する。
【００２９】
信号処理部３ａは、ＰＨＳの規格に従って、同期処理、時分割処理、スクランブル、およびディスクランブルなどの信号処理を実行する。
【００３０】
信号処理部３ａは、ＴＤＭＡ／ＴＤＤ（Ｔｉｍｅ  Ｄｉｖｉｓｉｏｎ  Ｍｕｌｔｉｐｌｅ  Ａｃｃｅｓｓ  ／  Ｔｉｍｅ  Ｄｉｖｉｓｉｏｎ  Ｄｕｐｌｅｘ）方式に従って、時分割処理を行なう。図２は、ＴＤＭＡ／ＴＤＤ方式のフレームの構成を示す。同図に示すように、ＴＤＭＡ／ＴＤＤ方式では、１つのフレームは、下り（無線基地局→移動端末装置）と上り（移動端末装置→無線基地局）の４対のスロットで構成される。各スロットの長さは、６２５μｓｅｃで２４０ビットであり、１フレームの長さは、５ｍｓｅｃで、８スロットである。基地局側から見ると、下りの４つのスロットは、送信用のスロットであり、上りの４つのスロットは、受信用のスロットである。
【００３１】
４対のスロットは、制御チャネル（Ｃｏｎｔｒｏｌ  Ｃｈａｎｎｅｌ：以下、ＣＣＨ）、または通話（情報）チャネル（Ｔｒａｆｆｉｃ  Ｃｈａｎｎｅｌ：以下、ＴＣＨ）が割当てられる。ＣＣＨが割当てられたスロットを制御スロットといい、ＴＣＨが割当てられたスロットを通話スロットという。ＣＣＨを通じてＣＣＨ情報が送信され、ＴＣＨを通じてＴＣＨ情報が送信される。ＣＣＨ情報は、ＴＣＨを起動してＴＣＨを確立するために用いられる。
【００３２】
これらの各スロットの周波数は、必ずしも同一ではない。制御スロットには、制御専用の周波数が利用され、通話スロットでは、多数の通信用周波数の中から空いている周波数が利用される。
【００３３】
スレーブ基地局１ｂ内の、無線部２ｂと、信号処理部３ｂと、モデム部４ｂとは、それぞれ、マスター基地局１ａ内の、無線部２ａと、信号処理部３ａと、モデム部４ａと、同一の処理を行なうので、これらの構成要素の説明は繰返さない。
【００３４】
再び、図１を参照して、マスター制御部５ａは、受信レベル取得部１３ａと、フレーム同期制御部１１ａと、通話チャネル割当制御部２０ａとを備える。スレーブ制御部５ｂは、受信レベル取得部１３ｂと、フレーム同期制御部１１ｂと、通話チャネル割当制御部２０ｂと、受信用制御スロット設定制御部１２ｂと、通話チャネル切替制御部１５ｂとを備える。
【００３５】
マスター制御部５ａ内のフレーム同期制御部１１ａは、信号処理部３ａを制御して、他の基地局との間で、フレーム同期を行なわせる。各基地局は、１００ｍｓｅｃの周期で、図２に示す送信用の下りのスロット１を用いて、ＣＣＨ情報を送信している。各基地局間で、このＣＣＨ情報を送出するタイミングが重複していると、各基地局で送信されたＣＣＨ情報が干渉しあって、移動局では、正しくＣＣＨ情報を取得できないことがある。そこで、各基地局は、所定の周期（たとえば１日のうちの所定の時刻）で、他の基地局との間でフレーム同期を行っている。フレーム同期制御部１１ａは、他の基地局との間でフレーム同期を行なった後、自局のフレームのタイミングを制御装置３０のフレーム同期通知部３３に送信する。
【００３６】
図３は、リンクチャネル確立フレーズにおけるマスター基地局およびスレーブ基地局のフレームの構成を示す。同図に示されるように、マスター基地局１ａでは、１００ｍｓｅｃ（つまり、２０フレーム）おきに、ＣＣＨ情報を送信し、５ｍｓｅｃ（つまり、１フレーム）ごとに、ＣＣＨ情報を受信する。
【００３７】
スレーブ基地局１ｂのフレーム同期制御部１１ｂは、制御装置３０のフレーム同期通知部３３からマスター基地局１ａのフレームのタイミングを受けると、信号処理部３ｂを制御して、自局のフレームのタイミングをマスター基地局１ａのフレームのタイミングと同一にさせる。フレーム同期制御部１１ｂは、他の基地局とのフレーム同期が確立したときには、その旨を受信用制御スロット設定制御部１２ｂに通知する。
【００３８】
スレーブ基地局１ｂの受信用制御スロット設定制御部１２ｂは、フレーム同期制御部１１ｂからフレーム同期を確立した旨の通知があったとき、または通話チャネル切替制御部１５から通話チャネルを切替えた旨の通知があったときに、信号処理部３ｂを制御して、図３に示すように、マスター基地局１ａの受信用制御スロットと同一のタイミングのスロットである第１番目の受信用スロットを受信用制御スロットに設定させる。スレーブ基地局１ｂでは、マスター基地局１ａと異なり、送信用スロットには、制御スロットが設定されない。
【００３９】
マスター基地局１ａの受信レベル取得部１３ａと、スレーブ基地局１ｂの受信レベル取得部１３ａとは、同一の処理を行なう。すなわち、受信レベル取得部１３ａ，ｂは、復調部６ａ，ｂから出力される、第１番目の受信用スロットで受信した信号の復調データを取得し、それがリンクチャネル確立要求メッセージであるか調べる。
【００４０】
図４は、リンクチャネル確立要求メッセージのデータフォーマットを示す。同図を参照して、リンクチャネル確立要求メッセージは、過渡応答ランプアンプ（Ｒ）と、スタートシンボル（ＳＳ）と、プリアンブル（ＰＲ）と、ユニークワード（ＵＷ）と、チャネル制御（ＣＩ）と、基地局識別符号（ＣＳ−ＩＤ）と、移動局識別符号（ＰＳ−ＩＤ）と、情報ビットと、誤り検査ビット（ＣＲＣ）とからなる。
【００４１】
過渡応答ランプアンプ（Ｒ）は、送信信号の立ち上がりと立下りの過渡状態をなめらかにするための信号である。スタートシンボル（ＳＳ）は、送信信号の開始を示すための信号である。プリアンブル（ＰＲ）は、受信信号からクロック信号を生成し、基地局と移動局との間で、ビット同期を確立するための信号である。ユニークワード（ＵＷ）は、ワード同期を確立するための信号である。チャネル制御（ＣＩ）は、このスロットが個別セル用チャネル（ＳＣＣＨ）として使用されることを示す。基地局識別符号（ＣＳ−ＩＤ）は、各基地局に割当てられた符号である。移動局識別符号（ＰＳ−ＩＤ）は、各基地局に割当てられた符号である。情報ビットに含まれるメッセージ種別は、このメッセージがリンク確立要求メッセージであることを示す。誤り検査ビット（ＣＲＣ）は、生成多項式によって誤りを検出するためのビットである。
【００４２】
受信レベル取得部１３ａ，ｂは、リンクチャネル確立要求メッセージを取得したときには、ＲＳＳＩ検出部１０ａ，ｂに、次周期以降で、この受信用スロットの受信信号の受信レベルを検出させて、取得した受信レベルを制御装置３０の通話チャネル割当指示部３１に送る。
【００４３】
マスター基地局１ａの通話チャネル割当制御部２０ａは、制御装置３０の通話チャネル割当指示部３１から通話チャネル割当の指示を受けたときには、フレーム内の第２〜第４番目の受信用スロットの干渉レベルを測定する。
【００４４】
通話チャネル割当制御部２０ａは、測定した第２〜第４番目の受信用スロットの干渉レベルの最小値が所定の閾値以下であれば、信号処理部３ａを制御して、干渉レベルが最小のスロット（受信用スロット）と、これと対となる送信用スロットとに通話チャネルを割当てさせる。
【００４５】
図５（ａ）は、マスター基地局のフレームへの通話チャネル割当の例を示す。同図に示されるように、マスター基地局１ａのフレームの第４スロットに通話チャネルが割当てられている。
【００４６】
通話チャネル割当制御部２０ａは、測定した第２〜第４番目の受信用スロット干渉レベルの最小値が所定の閾値を越えるときには、割当不可と判定する。
【００４７】
スレーブ基地局１ｂの通話チャネル割当制御部２０ｂは、制御装置３０の通話チャネル割当指示部３１から通話チャネル割当の指示を受けたときには、フレーム内の第２〜第４番目の受信用スロットの干渉レベルを測定する。
【００４８】
通話チャネル割当制御部２０ｂは、測定した第２〜第４番目の受信用スロット干渉レベルの最小値が所定の閾値以下であれば、信号処理部３ｂを制御して、干渉レベルが最小のスロット（受信用スロット）と、これと対となる送信用スロットとに通話チャネルを割当てさせる。
【００４９】
図５（ｂ）は、スレーブ基地局のフレームへの通話チャネル割当の例を示す。同図に示されるように、スレーブ基地局１ｂのフレームの第２スロットに通話チャネルが割当てられている。
【００５０】
通話チャネル割当制御部２０ｂは、測定した第２〜第４番目の受信用スロットの干渉レベルの最小値が所定の閾値を越えるときには、第１番目の受信用スロットの干渉レベルを測定する。
【００５１】
通話チャネル割当制御部２０ｂは、測定した第１番目の受信用スロットの干渉レベルが所定の閾値以下であれば、信号処理部３ｂを制御して、第１番目のスロット（受信用スロットと送信用スロット）に通話チャネルを割当てさせる。
【００５２】
図５（ｃ）は、スレーブ基地局のフレームへの通話チャネル割当の別の例を示す。同図に示されるように、スレーブ基地局１ｂのフレームの第１スロットに通話チャネルが割当てられている。これにより、スレーブ基地局１ｂのフレームには、受信用制御スロットが消失する。
【００５３】
通話チャネル割当制御部２０ｂは、測定した第１番目の受信用スロットの干渉レベルが所定の閾値を越えるときには、割当不可と判定する。
【００５４】
通話チャネル割当制御部２０ｂは、通話チャネルを割当てたときには、制御装置３０の割当結果通知部３２に、通話チャネルを割当た旨と割当てたスロット番号とを通知する。
【００５５】
通話チャネル割当制御部２０ｂは、通話チャネルを割当不可と判定したときには、制御装置３０の割当結果通知部３２に通話チャネルを割当不可と判定した旨を通知する。
【００５６】
通話チャネル割当制御部２０ａは、自局で通話チャネルを割当てたとき、および制御装置３０の割当結果通知部３２からスレーブ基地局１ｂで通話チャネルを割当てた旨と割当てたスロット番号とを受けたときには、信号処理部３ａ，ｂを制御して、リンクチャネル割当メッセージを送信させる。
【００５７】
図６は、リンクチャネル割当メッセージのデータフォーマットを示す。同図を参照して、リンクチャネル割当メッセージは、過渡応答ランプアンプ（Ｒ）と、スタートシンボル（ＳＳ）と、プリアンブル（ＰＲ）と、ユニークワード（ＵＷ）と、チャネル制御（ＣＩ）と、基地局識別符号（ＣＳ−ＩＤ）と、移動局識別符号（ＰＳ−ＩＤ）と、情報ビットと、誤り検査ビット（ＣＲＣ）とからなる。過渡応答ランプアンプ（Ｒ）と、スタートシンボル（ＳＳ）と、プリアンブル（ＰＲ）と、ユニークワード（ＵＷ）と、チャネル制御（ＣＩ）と、基地局識別符号（ＣＳ−ＩＤ）と、移動局識別符号（ＰＳ−ＩＤ）と、誤り検査ビット（ＣＲＣ）とは、リンクチャネル確立要求メッセージ内のものと同一である。
【００５８】
情報ビットに含まれるメッセージ種別は、このメッセージがリンク割当メッセージであることを示す。スロット番号は、通話チャネルが割当てられたスロット番号を示す。マスター基地局１ａのフレームの第１〜第４スロットのスロット番号を、それぞれ１〜４とし、スレーブ基地局１ｂのフレームの第１〜第４スロットのスロット番号を、それぞれ、５〜８とする。
【００５９】
通話チャネル割当制御部２０ａは、自局で通話チャネルを割当不可と判定したとき、および制御装置３０の割当結果通知部３２からスレーブ基地局１ｂで通話チャネルを割当不可と判定した旨の通知を受けたときには、信号処理部３ａ，ｂを制御して、リンクチャネル割当拒否メッセージを送信させる。
【００６０】
図７は、リンクチャネル割当拒否メッセージのデータフォーマットを示す。同図を参照して、リンクチャネル割当拒否メッセージは、過渡応答ランプアンプ（Ｒ）と、スタートシンボル（ＳＳ）と、プリアンブル（ＰＲ）と、ユニークワード（ＵＷ）と、チャネル制御（ＣＩ）と、基地局識別符号（ＣＳ−ＩＤ）と、移動局識別符号（ＰＳ−ＩＤ）と、情報ビットと、誤り検査ビット（ＣＲＣ）とからなる。過渡応答ランプアンプ（Ｒ）と、スタートシンボル（ＳＳ）と、プリアンブル（ＰＲ）と、ユニークワード（ＵＷ）と、チャネル制御（ＣＩ）と、基地局識別符号（ＣＳ−ＩＤ）と、移動局識別符号（ＰＳ−ＩＤ）と、誤り検査ビット（ＣＲＣ）とは、リンクチャネル確立要求メッセージ内のものと同一である。
【００６１】
情報ビットに含まれるメッセージ種別は、このメッセージがリンク割当拒否メッセージであることを示す。
【００６２】
スレーブ基地局１ｂの通話チャネル切替制御部１５ｂは、第１番目のスロットに通話チャネルを割当てた場合において、第２〜第４番目の受信用スロットの干渉レベルの最小値が所定の閾値以下となったときには、信号処理部３ｂを制御して、干渉レベルが最小のスロット（受信用スロット）と、これと対となる送信用スロットに通話チャネルを切替えさせるとともに、受信用制御スロット設定制御部１２ｂに通話チャネルを切替えた旨を通知する。
【００６３】
図８は、スレーブ基地局のフレーム内の通話チャネル切替の例を示す。同図に示されるように、スレーブ基地局１ｂのフレームの第１スロットに割当てられていた通話チャネルが切替によって、第３スロットへ割当てられる。また、受信用の第１スロットが受信用制御スロットに再設定されている。
【００６４】
通話チャネル切替制御部１５ｂは、通話チャネルを切替えたときには、信号処理部３ｂを制御して、通話チャネル切替指示メッセージを送信させる。
【００６５】
図９は、通話チャネル切替指示メッセージのデータフォーマットを示す。同図を参照して、通話チャネル切替指示メッセージは、過渡応答ランプアンプ（Ｒ）と、スタートシンボル（ＳＳ）と、プリアンブル（ＰＲ）と、ユニークワード（ＵＷ）と、チャネル制御（ＣＩ）と、ＳＡと、情報ビットと、誤り検査ビット（ＣＲＣ）とからなる。
【００６６】
過渡応答ランプアンプ（Ｒ）と、スタートシンボル（ＳＳ）と、プリアンブル（ＰＲ）と、ユニークワード（ＵＷ）と、チャネル制御（ＣＩ）と、誤り検査ビット（ＣＲＣ）とは、リンクチャネル確立要求メッセージ内のものと同一である。
【００６７】
チャネル制御（ＣＩ）は、このスロットが低速付随制御チャネル（ＳＡＣＣＨ）として使用されることを示す。ＳＡは、低速付随制御信号を示す。
【００６８】
情報ビットに含まれるメッセージ種別は、このメッセージが通話チャネル切替指示メッセージであることを示す。情報ビットに含まれる基地局識別符号（ＣＳ−ＩＤ）は、各基地局に割当てられた符号である。情報ビットに含まれるスロット番号は、通話チャネルが割当てられたスロット番号を示す。
【００６９】
制御装置３０は、通話チャネル割当指示部３１と、割当結果通知部３２と、フレーム同期通知部３３とを備える。
【００７０】
通話チャネル割当指示部３１は、基地局から受信レベルを取得する。通話チャネル割当指示部３１は、１つの基地局からのみ受信レベルを受けたときには、その基地局を通話基地局に選定する。通話チャネル割当指示部３１は、２つの基地局から受信レベルを受けたときには、受信レベルが最大の基地局を通話基地局に選定する。通話チャネル割当指示部３１は、選定した基地局の通話チャネル割当制御部に、通話チャネル割当の指示を送る。
【００７１】
割当結果通知部３２は、通話チャネル割当制御部２０ｂから通話チャネルを割当た旨と割当てたスロット番号とが通知されたとき、通話チャネル割当制御部２０ｂから通話チャネルを割当不可と判定した旨を通知されたときには、通話チャネル割当制御部２０ａに、通知された情報を転送する。
【００７２】
フレーム同期通知部３３は、マスター基地局１ａのフレーム同期制御部１１ａから受けたフレームのタイミングをスレーブ基地局１ｂのフレーム同期制御部１１ｂに通知する。
【００７３】
（通話チャネル割当動作）
図１０は、この発明の実施の形態に係る無線基地局システムがソフトウエア的に実行するの通話チャネル割当処理の動作手順を示すフローチャートである。無線基地局システムは、フロー図の各ステップを備えるプログラムを図示しないメモリから読み出して実行する。このプログラムは、外部からインストールすることができる。
【００７４】
まず、マスター基地局１ａのフレーム同期制御部１１ａは、マスター基地局１ａのフレームのタイミングを制御装置３０のフレーム同期通知部３３に通知する。制御装置３０のフレーム同期通知部３３は、マスター基地局１ａのフレーム同期制御部１１から受けたフレームのタイミングをスレーブ基地局１ｂのフレーム同期制御部１１ｂに通知する。スレーブ基地局１ｂのフレーム同期制御部１１ｂは、信号処理部３ｂを制御して、自局のフレームのタイミングを、マスター基地局１ａのフレームのタイミングと同一にさせる（ステップ４０１）。
【００７５】
スレーブ基地局１ｂの受信用制御スロット割当制御部１２ｂは、信号処理部３ｂを制御して、フレーム内の第１番目の受信用スロットを受信用制御スロットに割当てさせる（ステップＳ４０２）。
【００７６】
マスター基地局１ａおよびスレーブ基地局１ｂの受信レベル取得部１３ａ，ｂは、復調部６から出力される、第１番目の受信用スロットで受信した信号の復調データを取得し、それがリンクチャネル確立要求メッセージであるか否かを調べる（ステップＳ４０３）。
【００７７】
受信レベル取得部１３ａ，ｂは、リンクチャネル確立要求メッセージを取得したときには、ＲＳＳＩ検出部１０ａ，ｂに、次の周期で、この受信用スロットの受信信号の受信レベルを検出させて、取得した受信レベルを制御装置３０の通話チャネル割当指示部３１に送る（ステップＳ４０４）。
【００７８】
制御装置３０の通話チャネル割当指示部３１は、１つの基地局からのみ受信レベルを受けたときには、その基地局を通話基地局に選定する。制御装置３０の通話チャネル割当指示部３１は、２つの基地局から受信レベルを受けたときには、受信レベルが最大の基地局を通話基地局に選定する。通話チャネル割当指示部３１は、選定した基地局の通話チャネル割当制御部に、通話チャネル割当の指示を送る（ステップＳ４０５）。
【００７９】
マスター基地局１ａの通話チャネル割当制御部２０ａは、制御装置３０の通話チャネル割当指示部３１から通話チャネル割当の指示を受けたときには（ステップＳ４０６）、フレーム内の第２〜第４番目の受信用スロットの干渉レベルを測定し、測定した第２〜第４番目の受信用スロットの干渉レベルの最小値が所定の閾値以下であれば（ステップＳ４０７）、信号処理部３ａを制御して、干渉レベルが最小のスロット（受信用スロット）と、これと対となる送信用スロットとに通話チャネルを割当てさせる（ステップＳ４０８）。
【００８０】
一方、通話チャネル割当制御部２０ａは、測定した第２〜第４番目の受信用スロットの干渉レベルの最小値が所定の閾値を越えるときには（ステップＳ４０７）、割当不可と判定する（ステップＳ４０９）。
【００８１】
スレーブ基地局１ｂの通話チャネル割当制御部２０ｂは、制御装置３０の通話チャネル割当指示部３１から通話チャネル割当の指示を受けたときには（ステップＳ４０６）、フレーム内の第２〜第４番目の受信用スロットの干渉レベルを測定し、測定した第２〜第４番目の受信用スロットの干渉レベルの最小値が所定の閾値以下であれば（ステップＳ４１０）、信号処理部３ｂを制御して、干渉レベルが最小のスロット（受信用スロット）と、これと対となる送信用スロットに通話チャネルを割当てさせる。通話チャネル割当制御部２０ｂは、通話チャネルを割当てたときには、制御装置３０の割当結果通知部３２に、通話チャネルを割当た旨と、割当てたスロット番号（２〜４のいずれか）とを通知する。制御装置３０の割当結果通知部３２は、マスター基地局１ａの通話チャネル割当制御部２０ａに、これらの通知を受けた情報を通知する（ステップＳ４１１）。
【００８２】
通話チャネル割当制御部２０ｂは、測定した第２〜第４番目の受信用スロットの干渉レベルの最小値が所定の閾値を越えるときには（ステップＳ４１０）、第１番目の受信用スロットの干渉レベルを測定し、測定した第１番目の受信用スロットの干渉レベルが所定の閾値以下であれば（ステップＳ４１２）、信号処理部３ｂを制御して、第１番目のスロット（受信用スロットと送信用スロット）に通話チャネルを割当てさせる。通話チャネル割当制御部２０ｂは、通話チャネルを割当てたときには、制御装置３０の割当結果通知部３３に、通話チャネルを割当た旨と、割当てたスロット番号（＝１）とを通知する。割当結果通知部３３は、マスター基地局１ａの通話チャネル割当制御部２０ａに、これらの通知を受けた情報を通知する（ステップＳ４１３）。
【００８３】
通話チャネル割当制御部２０ｂは、測定した第１番目の受信用スロットの干渉レベルが所定の閾値を越えるときには（ステップＳ４１２）、割当不可と判定する。通話チャネル割当制御部２０ｂは、通話チャネルを割当不可と判定したときには、制御装置３０の割当結果通知部３３に、通話チャネルを割当不可と判定した旨を通知する。割当結果通知部３３は、マスター基地局１ａの通話チャネル割当制御部２０ａに、これらの通知を受けた情報を通知する（ステップＳ４１４）。
【００８４】
通話チャネル割当制御部２０ａは、自局で通話チャネルを割当てたとき、および制御装置３０の割当結果通知部３２からスレーブ基地局１ｂで通話チャネルを割当てた旨と割当てたスロット番号とを受けたときには、信号処理部３ａを制御して、リンクチャネル割当メッセージを送信させる（ステップＳ４１５）。
【００８５】
通話チャネル割当制御部２０ａは、自局で通話チャネルが割当不可と判定したとき、および制御装置３０の割当結果通知部３３からスレーブ基地局１ｂで通話チャネルを割当不可と判定した旨の通知を受けたときには、信号処理部３ａを制御して、リンクチャネル割当拒否メッセージを送信させる（ステップＳ４１６）。
【００８６】
（通話チャネル切替動作）
図１１は、この発明の実施の形態に係る無線基地局システムがソフトウエア的に実行するの通話チャネル切替処理の動作手順を示すフローチャートである。無線基地局システムは、フロー図の各ステップを備えるプログラムを図示しないメモリから読み出して実行する。このプログラムは、外部からインストールすることができる。
【００８７】
スレーブ基地局１ｂの通話チャネル切替制御部１５ｂは、第１番目のスロットに通話チャネルを割当てた場合において（ステップＳ５１）、第２〜第４番目の受信用スロットの干渉レベルの最小値が所定の閾値以下となったときには（ステップＳ５２）、信号処理部３ｂを制御して、干渉レベルが最小のスロット（受信用スロット）と、これと対となる送信用スロットとへ通話チャネルを切替えさせるとともに、受信用制御スロット設定制御部１２ｂに通話チャネルを切替えた旨を通知する（ステップＳ５３）。
【００８８】
スレーブ基地局１ｂの受信用制御スロット割当制御部１２ｂは、信号処理部３ｂを制御して、フレーム内の第１番目の受信用スロットを受信用制御スロットに割当てさせる（ステップＳ５４）。
【００８９】
通話チャネル切替制御部１５ｂは、通話チャネルを切替えたときには、信号処理部３ｂを制御して、通話チャネル切替指示メッセージを送信させる（ステップＳ５５）。
【００９０】
以上のように、本実施の形態に係る無線基地局システムによれば、マスター基地局１ａとスレーブ基地局１ｂの両方で、リンクチャネル確立要求を取得し、このリンクチャネル確立要求を取得したときの受信レベルが最大値の基地局のフレームに通話チャネルを割当てるので、リンクチャネル確立要求を受け取った基地局と通話チャネルが割当てられた基地局とが同一となり、移動局からの発呼を成功しやすくすることができる。
【００９１】
＜変形例＞
本発明は、上記の実施形態に限定されるものではなく、たとえば、以下の変形例も含まれる。
【００９２】
（１）  受信用制御スロット
本発明の実施形態では、マスター基地局１ａとスレーブ基地局１ｂのフレーム内の受信用スロットの第１番目のスロットを受信用制御スロットに設定したが、これに限定するものではなく、同一のタイミングであれば、第２〜第４スロットのいずれであってもよい。
【００９３】
（２）  第１スロットへの通話チャネルの割当て
本発明の実施形態では、スレーブ基地局１ｂのフレーム内の第２〜第４スロットに通話チャネルを割当てることができない場合に、第１スロットへの通話チャネルの割当てを許すことにしたが、第１スロットへの通話チャネルの割当てを絶対的に禁止することとしてもよい。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９５】
【発明の効果】
以上のように、本発明では、スレーブ基地局は、マスター基地局のフレームと自局のフレームとの同期をとり、マスター基地局のフレーム内の受信用制御スロットと同一タイミングの自局のフレーム内の所定の受信用スロットを受信用制御スロットに設定し、すべての基地局は、設定された受信用制御スロットで、リンクチャネル確立要求メッセージを受信したときに、当該スロットの受信レベルを取得し、通話チャネル割当指示に応じて、フレーム内の所定の送信用および受信用スロットに、リンクチャネル確立要求メッセージを送信した移動局との間の通話チャネルを割当て、制御装置は、各基地局から受信レベルを受けて、当該受信レベルが最大の基地局を特定し、特定した基地局に対して通話チャネル割当指示を送る。
【００９６】
したがって、本発明に係わる無線基地局システム、チャネル割当方法、およびチャネル割当プログラムでは、移動局からの発呼を成功しやすくすることができる。
【図面の簡単な説明】
【図１】本発明の実施の形態に係わる無線基地局システムの構成を示す機能ブロック図である。
【図２】ＴＤＭＡ／ＴＤＤ方式のフレームの構成を示す図である。
【図３】マスター基地局およびスレーブ基地局のフレームの構成を示す図である。
【図４】リンクチャネル確立要求メッセージのデータフォーマットを示す図である。
【図５】（ａ）は、マスター基地局のフレームへの通話チャネル割当の例を示す図であり、（ｂ）は、スレーブ基地局のフレームへの通話チャネル割当の例を示す図であり、（ｃ）は、スレーブ基地局のフレームへの通話チャネル割当の別の例を示す図である。
【図６】リンクチャネル割当メッセージのデータフォーマットを示す図である。
【図７】リンクチャネル割当拒否メッセージのデータフォーマットを示す図である。
【図８】スレーブ基地局のフレーム内の通話チャネル切替えの例を示す図である。
【図９】通話チャネル切替指示メッセージのデータフォーマットを示す図である。
【図１０】通話チャネル割当処理の動作手順を示すフローチャートである。
【図１１】通話チャネル切替処理の動作手順を示すフローチャートである。
【符号の説明】
１ａ  マスター基地局、１ｂ  スレーブ基地局、２ａ，２ｂ  無線部、３ａ，３ｂ  信号処理部、４ａ，４ｂ  モデム部、５ａ  マスター制御部、５ｂ  スレーブ制御部、６ａ，６ｂ  復調部、７ａ，７ｂ  変調部、８ａ，８ｂ  受信部、９ａ，９ｂ、１０ａ，１０ｂ  ＲＳＳＩ検出部、１１ａ，１１ｂ  フレーム同期部、１２ｂ  受信用制御スロット設定制御部、１３ａ，１３ｂ  受信レベル取得部、１５ｂ  通話チャネル切替制御部、２０ａ，２０ｂ  通話チャネル割当制御部、３０  制御装置、３１  通話チャネル割当指示部、３２  割当結果通知部、３３  フレーム同期通知部。
【図１】
2004297505.tif 000003
【図２】
2004297505.tif 000004
【図３】
2004297505.tif 000005
【図４】
2004297505.tif 000006
【図５】
2004297505.tif 000007
【図６】
2004297505.tif 000008
【図７】
2004297505.tif 000009
【図８】
2004297505.tif 000010
【図９】
2004297505.tif 000011
【図１０】
2004297505.tif 000012
【図１１】
2004297505.tif 000013